(57)【要約】【課題】排出口から排出された遊技媒体の荷重によりスライド板を開状態に係止保持させると共に、遊技媒体の荷重から解放されるとスライド板を閉状態に自動復帰させる遊技媒体抜取装置を提供する。【解決手段】遊技媒体が滞留する滞留部７に開設された排出口２１と、前記排出口２１を開閉させるスライド板２３と、前記排出口２１が閉じる方向に前記スライド板２３を付勢させる弾性部材２５と、前記排出口２１の下流側に臨んで遊技媒体の荷重が加わることによって傾動する荷重感知部材３０とを備え、前記荷重感知部材３０上に前記排出口２１から排出された遊技媒体が乗載して傾動することにより前記スライド板２３に係合し該スライド板２３を閉状態に保持させると共に、遊技媒体が前記荷重感知部材３０上から流落することで前記スライド板２３との係合が解除され前記弾性部材２５の付勢により排出口２１が閉状態となるようにした。【選択図】  図７
2004173711.tif 000002
【特許請求の範囲】
【請求項１】
パチンコ球等の遊技媒体が滞留する滞留部に開設された排出口と、抜取操作により前記排出口から遊技媒体が自重で排出されるように開閉させるスライド板と、前記排出口が閉じる方向に前記スライド板を付勢させる弾性部材と、前記排出口の下流側にて該排出口に臨んでいて遊技媒体の荷重が加わることによって傾動するように設けられた荷重感知部材とを備え、
前記荷重感知部材上に前記排出口から排出された遊技媒体が乗載することにより該荷重感知部材が傾動して前記スライド板に係合することで該スライド板を閉状態に保持させると共に、遊技媒体が前記荷重感知部材上から流落することで該荷重感知部材は復動し前記スライド板との係合が解除され前記弾性部材の付勢により排出口が閉状態となるようにしたことを特徴とする遊技機の遊技媒体抜取装置。
【請求項２】
パチンコ球等の遊技媒体を貯留する貯留皿に排出口を開設すると共に、前記排出口を開閉させるスライド板を弾性部材により該排出口が閉じる方向に付勢して設け、抜取操作により前記スライド板を開く方向に移動させると前記貯留皿の遊技媒体が自重で排出されるようにした遊技機の遊技媒体抜取装置であって、
前記排出口の下流側に臨んで該排出口から排出された遊技媒体の荷重が掛かることにより傾動する荷重感知部材を設け、前記荷重感知部材が傾動すると前記スライド板に係合し前記排出口を開状態に保持させると共に、前記荷重感知部材に荷重が掛からなくなったとき該荷重感知部材が復動し前記スライド板との係合が解除され該スライド板が前記弾性部材の付勢により閉状態に自動復帰するようにしたことを特徴とする遊技機の遊技媒体抜取装置。
【請求項３】
タンクに貯留された遊技媒体を払出装置に導く供給路の途中に排出口を開設すると共に、前記排出口を開閉させるスライド板を弾性部材により該排出口が閉じる方向に付勢して設け、抜取操作により前記スライド板を開く方向に移動させると前記供給路の遊技媒体が排出されるようにした遊技機の遊技媒体抜取装置であって、
前記排出口の下流側に臨んで該排出口から排出された遊技媒体の荷重が掛かることにより傾動する荷重感知部材を設け、前記荷重感知部材が傾動すると前記スライド板に係合し前記排出口を開状態に保持させると共に、前記荷重感知部材に荷重が掛からなくなったとき該荷重感知部材が復動し前記スライド板との係合が解除され該スライド板が前記弾性部材の付勢により閉状態に自動復帰するようにしたことを特徴とする遊技機の遊技媒体抜取装置。
【請求項４】
前記荷重感知部材は前記スライド板の下方に設けられ、一端に遊技媒体の荷重を受ける感知部が形成され、他端に前記スライド板に係合する係合部が形成され、常態では前記係合が解除されるように前記荷重感知部材の重心位置を設定した請求項１乃至３のいずれかに記載の遊技機の遊技媒体抜取装置。
【請求項５】
前記荷重感知部材を前記スライド板の下面との隙間が遊技媒体の直径より狭くなるように設定し、前記スライド板の復動時に前記荷重感知部材上の遊技媒体が該スライド板で押し出されるようにした請求項１乃至４のいずれかに記載の遊技機の遊技媒体抜取装置。
【請求項６】
前記荷重感知部材の上面に遊技媒体が滞留する浅窪部を形成した請求項１乃至５のいずれかに記載の遊技機の遊技媒体抜取装置。
【発明の詳細な説明】
【０００１】
【発明の属する技術分野】
本発明は、遊技機の遊技媒体抜取装置に関するものであり、特に排出口から排出される遊技媒体の荷重によりスライド板を排出口が開放する位置に係止保持させたり、排出口が閉じる位置に自動復帰させたりするようにした遊技機の遊技媒体抜取装置に関するものである。
【０００２】
【従来の技術】
従来、パチンコ球を遊技媒体として遊技するパチンコ遊技機の球抜装置として例えば、パチンコ遊技機の球受皿の貯留皿に貯留されるパチンコ球を利用してスライド板を球抜孔を開放する位置に係止保持するようにした球抜装置は知られている（例えば、特許文献１参照。）。
【０００３】
また、球抜孔の開状態を電気的駆動源により閉状態に復帰させるようにした球抜装置は知られている（例えば、特許文献２参照。）。
【０００４】
また、誘導樋の球抜装置は、誘導樋に開設された球抜口を閉塞する可動部材と該可動部材を係止保持および解除する操作片とで構成され、前記操作片をパチンコ機の前面側から操作することにより可動部材をフリー状態にして球抜きを行い、球抜き終了後再度操作片を操作することにより可動部材が球抜口を閉塞するように係止保持していた（例えば、特許文献３参照。）。
【０００５】
【特許文献１】
特開平９−８４９３６号公報
【特許文献２】
特開平１−２６５９９０号公報
【特許文献３】
特開平１０−１９２５０９号公報
【０００６】
【発明が解決しようとする課題】
従来の特許文献１に示される球受皿の球抜装置は、球抜き操作によりスライド板を自動的に球抜孔を開放する位置に係止保持することができるものの、球抜きが終って球抜き状態を解除するには必ず解除操作を行ってスライド板を球抜孔を閉じる位置に戻さなければならなかった。このため、球受皿のパチンコ球の球抜きが終っても解除操作を忘れて球抜き状態のままで台を移動する遊技者が多くあり、次の遊技者に迷惑を及ぼしたり店員がいちいち解除操作したりしなければならないという問題点があった。
【０００７】
また、特許文献２に示される球皿の球抜装置は、電気的駆動源を作動させるのに球抜孔の開放を検知する検出手段が必要であり、球抜孔を閉鎖するのにタイマーを使用しているため回路が複雑となりコスト高となる問題がある。しかも、タイマーを使用しているため、設定により球抜きが終了していないにも関わらず球抜き孔を閉塞したり、すでに球抜きが終了したにも関わらずしばらくの間球抜孔が開放状態となったりしてパチンコ遊技機の状況に必ずしも適応しないという問題がある。
【０００８】
また、特許文献３に示される誘導樋の球抜装置は、球抜き終了後に再度操作片を操作しなければ球抜口を閉塞できず、特にホールで複数台のパチンコ機の球抜きを行う際にはすべてのパチンコ機の球抜きが終了するまで待機していなければならず面倒であり作業効率が悪いものとなっていた。
【０００９】
本発明は、従来の技術の有するこのような問題点に鑑みてなされたものであり、その目的とするところは、構造が簡単であり、しかも貯留部から抜取られる遊技媒体の荷重により確実にスライド板を遊技媒体の抜取り位置に係止保持させることができると共に、貯留部の遊技媒体が抜取られるとスライド板を抜取り解除位置に自動復帰させることができる遊技機の遊技媒体抜取装置を提供しようとするものである。
【００１０】
【課題を解決するための手段】
上記目的を達成するために、請求項１記載の発明は、パチンコ球等の遊技媒体が滞留する滞留部に開設された排出口と、抜取操作により前記排出口から遊技媒体が自重で排出されるように開閉させるスライド板と、前記排出口が閉じる方向に前記スライド板を付勢させる弾性部材と、前記排出口の下流側にて該排出口に臨んでいて遊技媒体の荷重が加わることによって傾動するように設けられた荷重感知部材とを備え、前記荷重感知部材上に前記排出口から排出された遊技媒体が乗載することにより該荷重感知部材が傾動して前記スライド板に係合することで該スライド板を閉状態に保持させると共に、遊技媒体が前記荷重感知部材上から流落することで該荷重感知部材は復動し前記スライド板との係合が解除され前記弾性部材の付勢により排出口が閉状態となるようにしたことを特徴とする。ここでいう「遊技媒体」とは、そのものを利用して遊技をするもの、またはそのものを遊技の対価として使用するものを意味し、パチンコ球の他にコイン，メダルを含む。また、ここでいう「弾性部材」とは、巻ばね，板ばね，圧縮ばね，引張ばね等の複数種類のばねの他にウレタン等の復帰弾性を有するものが含まれる。また、「スライド板」の可動方向は限定されるものではなく、排出口の開口面に沿って可動するようにすればよく、前後左右または円弧方向であってもよい。
【００１１】
請求項２記載の発明は、パチンコ球等の遊技媒体を貯留する貯留皿に排出口を開設すると共に、前記排出口を開閉させるスライド板を弾性部材により該排出口が閉じる方向に付勢して設け、抜取操作により前記スライド板を開く方向に移動させると前記貯留皿の遊技媒体が自重で排出されるようにした遊技機の遊技媒体抜取装置であって、前記排出口の下流側に臨んで該排出口から排出された遊技媒体の荷重が掛かることにより傾動する荷重感知部材を設け、前記荷重感知部材が傾動すると前記スライド板に係合し前記排出口を開状態に保持させると共に、前記荷重感知部材に荷重が掛からなくなったとき該荷重感知部材が復動し、前記スライド板との係合が解除され該スライド板が前記弾性部材の付勢により閉状態に自動復帰するようにしたことを特徴とする。
【００１２】
請求項３記載の発明は、タンクに貯留された遊技媒体を払出装置に導く供給路の途中に排出口を開設すると共に、前記排出口を開閉させるスライド板を弾性部材により該排出口が閉じる方向に付勢して設け、抜取操作により前記スライド板を開く方向に移動させると前記供給路の遊技媒体が排出されるようにした遊技機の遊技媒体抜取装置であって、前記排出口の下流側に臨んで該排出口から排出された遊技媒体の荷重が掛かることにより傾動する荷重感知部材を設け、前記荷重感知部材が傾動すると前記スライド板に係合し前記排出口を開状態に保持させると共に、前記荷重感知部材に荷重が掛からなくなったとき該荷重感知部材が復動し、前記スライド板との係合が解除され該スライド板が前記弾性部材の付勢により閉状態に自動復帰するようにしたことを特徴とする。
【００１３】
請求項４記載の発明は、請求項１乃至３のいずれかに記載の発明において、前記荷重感知部材は前記スライド板の下方に設けられ、一端に遊技媒体の荷重を受ける感知部が形成され、他端に前記スライド板に係合する係合部が形成され、常態では前記係合が解除されるように前記荷重感知部材の重心位置を設定した。
【００１４】
請求項５記載の発明は、請求項１乃至４のいずれかに記載の発明において、前記荷重感知部材を前記スライド板の下面との隙間が遊技媒体の直径より狭くなるように設定し、前記スライド板の復動時に前記荷重感知部材上の遊技媒体が該スライド板で押し出されるようにした。
【００１５】
請求項６記載の発明は、請求項１乃至５のいずれかに記載の発明において、前記荷重感知部材の上面に遊技媒体が滞留する浅窪部を形成し、該浅窪部で遊技媒体を滞留させることでスライド板の開状態を長く維持するようにして、滞留部で滞留する遊技媒体を確実に排出口から抜取るようにした。
【００１６】
前記スライド板に前記荷重感知部材が係合する係止部を形成するのが好ましい。ここでいう「係止部」は、例えば係止爪部のような突部であっても、凹部であっても直接スライド板の端部を係止部としてもよい。
【００１７】
本発明の構成によれば、前記排出口の下流側に位置する荷重感知部材に該排出口から排出される遊技媒体が乗載して、その荷重が所定値以上掛かることにより傾動し、前記荷重感知部材が傾動すると前記スライド板に係合し前記排出口を開状態に保持させることができる。そして、前記荷重感知部材から遊技媒体が流落して該荷重感知部材に荷重が掛からなくなったとき、または掛かる荷重が所定値以下になったとき該荷重感知部材が復動し、前記スライド板との係合が解除され該スライド板が前記弾性部材の付勢により閉状態に自動復帰させることができる。
【００１８】
なお、本発明の遊技機の遊技媒体抜取装置は、パチンコ遊技機の前面枠の前面に設けられる打球供給用の上部球受皿または上部球受皿の余剰球を貯留する下部球受皿、スロットマシンの貯留皿であるコイン皿等の抜取装置にも適用可能である。さらには、パチンコ遊技機の球払出装置への供給路の抜取装置にも適用可能である。
【００１９】
また、スライド板を電気的駆動源により移動させて排出口を開放するようにしてもよい。特に、前面枠を開放することなくパチンコ遊技機の前面側から球抜操作をする供給路の抜取装置には最適である。このとき、前記電気的駆動源を駆動させるスイッチを前面側から操作し得るように設けるのが好ましい。前記電気的駆動源は、ソレノイドまたはモータである。
【００２０】
また、本発明の抜取装置は、排出口を開閉するスライド板が左右方向又は前後方向に摺動自在に設けられているもの、或いは回動軸を支点に回動自在に設けられているもののいずれにも適用可能である。
【００２１】
【発明の実施の形態】
以下に本発明の実施の形態を図面と共に説明する。図１は遊技機としてのパチンコ遊技機の正面図、図２はパチンコ遊技機の裏面図である。パチンコ遊技機は、機枠１の前面に開閉自在に前面枠２が設けられ、該前面枠２の後部に遊技盤取付枠２ａを介して遊技盤３が位置する。４は遊技盤３の上方部分を覆うガラス枠、５は遊技盤３の下方部分を覆う前面板で、その前面に打球を供給する貯留皿としての上部球受皿６が取付けられている。また、前面枠２の下方部前面には前記上部球受皿６の余剰球を貯留する貯留皿としての下部球受皿７が装着されており、その側方に打球の発射力を調節する操作ハンドル１０が設けられている。２２は後述する球抜き操作を行う操作開口であり、ガラス枠４及び前面枠２，遊技盤取付枠２ａを貫通して設けられる。
【００２２】
前記前面枠２の裏面には、機構板１１が着脱自在に装着され、該機構板１１には遊技媒体を貯留する貯留タンク１２が設けられ、該貯留タンク１２のパチンコ球を払出装置１３に導く貯留部としての供給路１４が設けられている。前記供給路１４は、ほぼ直線状の球誘導樋１４ａと屈曲状の屈曲誘導樋１４ｂとで構成されている。そして、前記払出装置１３で払出されたパチンコ球は、排出樋１５を介して前記上部球受皿６に排出され、その余剰球は余剰球通路１６を介して下部球受皿７に導かれる。前記供給路１４には貯留タンク１２及び供給路１４に貯留されるパチンコ球を抜取る抜取装置としての球抜装置１７が設けられ、抜取られたパチンコ球は球抜き通路８を介して機外に排出するようにしている。
【００２３】
前記下部球受皿７は、図３および図４に示すようにパチンコ球が貯留する滞留部としての皿部１８と該皿部１８の上部に被着されるカバー部材１９とに二分割して形成され、皿部１８に遊技媒体の抜取装置９が設けられている。そして、抜取装置９はパチンコ球等の遊技媒体の排出口２１と、前記排出口２１を開閉するスライド板２３と、前記排出口２１が閉塞する方向に前記スライド板２３を付勢する弾性部材２５と、前記排出口２１が開状態となるように前記スライド板２３を保持させる荷重感知部材３０とで構成される。具体的には、皿部１８の底壁２０のほぼ中央位置に、遊技媒体としてのパチンコ球を同時に多数抜取り可能な排出口としての球抜孔２１を拡径状に開設して、該球抜孔２１の開放時に前記荷重感知部材３０の一部が下流側に臨むようにしている。前記底壁２０は球抜孔２１に向かって下傾しており、皿部１８に貯留されたパチンコ球がすべて球抜孔２１に向かうようにしている。また、皿部１８の底壁２０下面に支持枠２４がビス着され、該支持枠２４と皿部１８の底壁２０下面との間に、球抜孔２１を開閉するスライド板２３が摺動自在に装着され、その裏面側に前記荷重感知部材３０が設けられている。前記スライド板２３は、支持枠２４に内装される弾性部材としてのスプリング２５の弾性により、常時球抜孔２１を閉じる方向に付勢している。なお、実施の形態において、スライド板２３の復帰手段の弾性部材としてスプリング２５としたが、他に巻ばね，板ばね，圧縮ばね，引張ばね、さらにはウレタン等復帰弾性を有するものを使用してもよい。
【００２４】
また、前記支持枠２４には、図４に示すように前記球抜孔２１とほぼ相対する位置に、複数のパチンコ球が落下し得る透孔２９が開設され、該透孔２９の近傍に前記荷重感知部材３０を揺動自在に支持する上面円弧状の支持片３３が設けられる。また、前記スプリング２５の収納部３４及びスライド板２３のスライド方向を規制するガイド壁３１，３１が立設されている。なお、前記荷重感知部材３０は軸ピンにより傾動自在に軸支してもよい。
【００２５】
前記スライド板２３は、前記球抜孔２１を開閉する板状部２３ａと該板状部２３ａを移動操作する操作部２６とで構成されている。また、スライド板２３の下面にはガイド片３９，３９が垂設され、前記ガイド壁３１に合致させることで摺動方向を規制している。そして、支持枠２４の切欠き２４ａから皿部１８の外方に突出した操作部２６を手で操作することによってスライド板２３を摺動し得るようにしている。また、スライド板２３の下面に、前記荷重感知部材３０が係止する係止部２８をリブ状に複数設けている。前記係止部２８の係止面２８ａは、図７に示すように図上僅かに左下に向けた傾斜面としている。なお、前記操作部２６は板状部２３ａと別途形成し、リンク部材等を介して該板状部２３ａと連繋して操作し得るようにしてもよい。操作部２６を別途形成して板状部２３ａと連繋することで、スライド板２３の移動方向及び移動距離を変えることができる。なお、前記スライド板２３は必ずしも板状に限らず、枠状であってもよい。
【００２６】
前記荷重感知部材３０は、スライド板２３の裏側に位置して、球抜孔２１の下流側に荷重感知部材３０の一部を臨ませて、該スライド板２３の下面との隙間がパチンコ球の直径より狭くなるように設定して、前記支持片３３に窪み溝状の支持部３２を支持させて揺動自在に設けられる。このとき、前記球抜孔２１の開口面と荷重感知部材３０の上面との隙間は、パチンコ球の直径以上に設定するのが好ましく、確実に球抜孔２１から排出されたパチンコ球が荷重感知部材３０に乗載支持されるようにするのがよい。そして、前記支持部３２を中心として一端に前記スライド板２３の係止部２８に係合する係合部３６が二股状に形成されると共に、他端に球抜孔２１から抜取られるパチンコ球の荷重を受ける感知部３７が板状に形成される。前記係合部３６の係合面３６ａは、軸支部３３を中心とした円弧面として前記係止部２８との係合を解除し易いようにしている。一方、前記感知部３７は、上面コ字形に形成されており、パチンコ球が該感知部３７を転動して確実に前記透孔２９から流出するようにしている。また、荷重感知部材３０は、常態ではスライド板２３と係合しないように該荷重感知部材３０の重心位置を係合が解除されるように設定し、前記係合部３６側に傾動するように軸支３３される。前記溝状の支持部３２は下方に約４０°拡開して形成されて揺動範囲を規制するようにしている。実施の形態においては、前記係合部３６側に重心位置するように重錘３８が設けられている。なお、荷重感知部材３０は、実施の形態において係合部３６と感知部３７を一体に形成したものとして説明するが、係合部３６と感知部３７を別体に形成して荷重感知部材３０として一体的に可動するようにしてもよい。
【００２７】
次に、図面を参照して下部球受皿７の球抜きの作用を説明する。通常スライド板２３は、スプリング２５の付勢により図５及び図７（ａ）に示すように球抜孔２１を閉塞している。この状態であり、かつ皿部１８に多量のパチンコ球が貯留されているときに、図６及び図７（ｂ）に示すように操作部２６に指を掛けてスライド板２３を球抜孔２１が開放する方向に摺動させると、球抜孔２１の下方に一部臨んだ荷重感知部材３０の感知部３７に、球抜孔２１から排出されたパチンコ球が落下支持され球荷重が所定値以上（好ましくはパチンコ球１個以上）掛かると、荷重感知部材３０を揺動させる。そして、スライド板２３が球抜孔２１をほぼ全開する位置で、球荷重により上動した係合部３６が係止部２８に係止する。
【００２８】
そして、この状態で操作部２６から手を離すと、スライド板２３がスプリング２５の付勢により球抜孔２１を閉じる方向に復動しようとするが、図７（ｂ）に示すように感知部３７に掛かるパチンコ球の荷重により、荷重感知部材３０が傾動した状態のまま係合部３６と係止部２８との係合を維持して、スライド板２３の復動が阻止される。従って、操作部２６から手を離してもスプリング２５の付勢力より荷重感知部材３０に掛かる球荷重の方が勝って、図６に示すようにスライド板２３は球抜孔２１をほぼ全開する状態に保持される。そして、皿部１８のパチンコ球は荷重感知部材３０に乗載しながら自重で球抜孔２１から透孔２９を落下して抜取られることになる。
【００２９】
そして、皿部１８のパチンコ球が抜取られて、感知部３７に掛かる球荷重が減少して所定値以下（好ましくはパチンコ球１個未満）になると、前記荷重感知部材３０が復動し該スライド板２３との係合が解除される。具体的には感知部３７が球荷重から解放されると、図７（ｃ）に示すように重錘３８によって荷重感知部材３０が支持片３３を中心に係合部３６側（図上反時計回り方向）に回動し、該係合部３６が係止部２８から離間するように下動する。そして、係合を解除されたスライド板２３が、スプリング２５の付勢により球抜孔２１を閉じる位置に自動復帰することになる。その際、感知部３７上のパチンコ球は、スプリング２５の付勢力により復動するスライド板２３の先端に押されて、感知部３７の上面を強制的に転動して透孔２９から流出するため、皿部１８内にパチンコ球が残ることがない。このとき、スライド板２３が感知部３７上のパチンコ球の球心より上部を接触点として確実に透孔２９側に押し出すようにするのがよい。特に感知部３７で支持されるパチンコ球は球抜孔２１の開口面より下方に位置するため、スライド板２３の復動の勢いで皿部１８内に戻されることもない。
【００３０】
このように、スライド板２３の開状態で別途設けた荷重感知部材３０に球抜孔２１から排出されたパチンコ球の荷重が掛かることにより、該荷重感知部材３０を傾動させてスライド板２３に係合し球抜孔２１を開放状態に保持する。しかも、荷重感知部材３０は球抜孔２１からパチンコ球が抜取られて球荷重から解放されると復動し、スライド板２３が弾性部材２５の付勢によって球抜孔２１を閉塞する。このため、遊技媒体の抜取り後に遊技客が球抜孔２１を開放したままにすることがなく、次の遊技客に迷惑をかけることがない。また、皿部１８が空のときにスライド板２３を操作しても荷重感知部材３０に球荷重が掛からないことから該荷重感知部材３０が揺動することはなく、スライド板２３に係止することがないため、悪戯で開状態のままにされることもない。また、前記球抜孔２１の開状態で荷重感知部材３０に球荷重が掛かることにより、該荷重感知部材３０が回動して係合部３６が係止方向に可動するので、スライド板２３との係合が確実なものとなる。しかも、解除の際も球荷重から解放されると係合部３６が解除方向に可動することになるので、係止部２８との解除を確実にすることができる。
【００３１】
また、荷重感知部材３０を可動式としたので係止部２８及び係合部３６の摩耗率を少なくすることができる。また、万一係合部３６または係止部２８のいずれかが摩耗または損傷して、スライド板２３を開状態に保持できなくなったとしても、球抜き操作には何等影響することはなく、皿部１８に滞留する遊技媒体を抜取ることができる。また、前記係合部３６が二股状に複数形成されていることから、万一、一方の係合部３６が摩耗しても他方の係合部３６により係止することができ、抜取装置９を長期間に亘って使用でき確実に作用させることができる。
【００３２】
なお、係止解除のタイミング（球荷重の所定値）は、スプリング２５の強弱調整または感知部３７の大きさの変更により球荷重を調整したり、係合部３６と係止部２８との幅及び係合・解除方向の長さ方向を含めた接触量，係合・解除方向に対する係合角度を変更したりすることによって調整可能であり、皿部１８のデザイン及び形状がどのように変化しても、その変化した形状に対応して前記したそれぞれの調整手段を調整変更することにより確実に残球をなくすことができる。例えば、係合部３６と係止部２８との係合・解除方向の長さ方向の接触量を多くすることによっても球抜孔２１の開放時間を長くすることができる。
【００３３】
また、実施の形態において、荷重感知部材３０を球抜孔２１の下流側に一部が臨むように設けたが、該荷重感知部材３０を球抜孔２１のほぼ全域に対向位置して設け、球抜孔２１から排出されるほぼ全てのパチンコ球が荷重感知部材３０に乗載するようにして確実に球荷重が掛かるようにしてもよい。このとき、荷重感知部材３０に乗載したパチンコ球は側方に導かれ透孔２９に向けて流落する。このため、球抜孔２１の開口面と荷重感知部材３０の上面との隙間をパチンコ球の直径以上とするのが好ましいが、パチンコ球の流落方向の皿部１８の底壁２８を門状に膨出するようにしてパチンコ球の直径以上となるようにしてもよい。
【００３４】
また、球抜孔２１の開放を検知する検知スイッチを設け、飾りランプまたは表示装置で球抜孔２１の開放状態を報知するようにしてもよく、前記検知スイッチは例えば前記荷重感知部材３０の傾動を検知するように設けられる光電式スイッチまたはマイクロスイッチ（アクチュエータスイッチ）でもよい。検知スイッチとしてマイクロスイッチ（アクチュエータスイッチ）を使用した際には、マイクロスイッチ（アクチュエータスイッチ）の押圧部の付勢力を利用して荷重感知部材３０の上下左右方向等の復動を助けるようにしてもよい。特に、アクチュエータスイッチのアクチュエータ片を利用することにより、直接荷重感知部材３０の揺動範囲内にスイッチ本体を設けることなく、前記アクチュエータ片を荷重感知部材３０の揺動範囲内に臨ませて荷重感知部材３０の上下左右方向等の復動を助けることができる。このように、マイクロスイッチ（アクチュエータスイッチ）の押圧部の付勢力を利用することで、荷重感知部材３０の重心位置にこだわることなく係合を解除させることができる。
【００３５】
また、図８に示すように荷重感知部材３０の感知部３７に遊技媒体が滞留する浅窪部４０を形成するのが好ましい。この浅窪部４０を設けることにより、多量のパチンコ球が排出される際は、球抜口２１から流出するパチンコ球の流圧により該浅窪部４０に滞留することなく次々と流落するが、流出量が少なくなると該浅窪部４０で遊技媒体が滞留するようになるため、流落時間がゆっくりとなりその間荷重感知部材３０の傾動状態を維持してスライド板２３の開状態を長く保持することができる。このように、開状態を長く維持させることで、皿部１８内の遊技媒体を球抜口２１から確実に排出させることができ、浅窪部４０の遊技媒体は復動するスライド板２３によって、何の問題もなく押し出され透孔２９から排出される。なお、前記浅窪部４０は、当然該浅窪部４０の遊技媒体がスライド板２３によって簡単に押し出される深さが選ばれる。また、浅窪部４０の形状は限定されるものではなくパチンコ球１個分の凹部でも複数の遊技媒体が列状に並ぶ長溝状であってもよく、感知部３７全体を窪み状に形成するようにしてもよい。但し、浅窪部４０で滞留する遊技媒体のみでは、前記荷重感知部材３０が傾動してロックしないバランス状態が選ばれる。
【００３６】
なお、スライド板２３の可動方向は限定されるものではなく、実施の形態では左右方向に摺動させるようにしたが、スライド板２３を支軸を中心に回動させることにより球抜孔２１が開閉する球抜き構造のもの、或いはスライド板２３を前後方向へ摺動させることにより球抜孔２１が開閉する球抜き構造のものであってもよく、スライド板２３や球抜孔２１の形状または位置関係を変更することによって、実施の形態に示したものと同様に作用させることが可能である。
【００３７】
また、実施の形態において前記球抜孔２１をスライド板２３の摺動方向に拡開して形成したが、スライド板２３の摺動方向とほぼ直交方向に拡径して設けるようにしてもよい。また、前記球抜孔２１をさらに拡径して、その一部にスライド板２３が臨むようにしても何等問題はない。
【００３８】
なお、前記係合部３６と係止部２８の形状は実施の形態に限定されるものではなく、例えば凹部と凸部の係合としてもよい。また、敢えてスライド板２３に係止部２８を形成することなく、スライド板２３の先端部を係止部としてもよい。
【００３９】
さらに、球抜孔２１の開設位置は、皿部１８の底壁２０に限定されるものではなく、皿部１８の底部に位置する側壁に開設するようにしてもよい。このとき、底壁２０の傾斜により遊技媒体の荷重が側壁位置のスライド板２３に掛かるようにして、荷重感知部材３０を球抜孔２１の下流側に臨んでスライド板２３の裏側に位置して設けるようにすればよい。また、荷重感知部材３０を遊技媒体の流出方向に傾動するようにしたが、遊技媒体の荷重によって流出方向と直交する方向に可動するようにしてもよい。このとき荷重感知部材３０の軸支方向は遊技媒体のほぼ流出方向であり、感知部３７の遊技媒体との接触面は約４５°の傾斜面が好ましい。
【００４０】
なお、透孔２９の下方に位置して皿部１８のパチンコ球を抜取るドル箱が満杯になった際等に、球抜き状態を途中で中止できるようにするために、前記荷重感知部材３０を強制的に復動させるレバー等の復動手段を設けるようにしてもよい。このように、該レバーを操作して感知部材３０を強制的に復動させることで、スライド板２３との係合が解除されて球抜孔２１を閉塞させることができる。
【００４１】
また、下部球受皿７に設けられる抜取装置９を実施の形態として示したが、本発明の遊技機の遊技媒体抜取装置は、下部球受皿７に限定されることなく、パチンコ遊技機の前面枠２の前面に設けられる打球供給用の上部球受皿６にも適用可能であるのは勿論のこと、下部球受皿７の下方に位置する球箱等に設けられる球抜装置にも適用可能である。また、当然遊技機の前面に１つ設けられ供給機能と貯留機能を備えた球受皿にも適用される。さらに、払出装置１３に貯留タンク１２のパチンコ球を供給する供給路１４の球抜装置１７にも適用可能である。
【００４２】
次に、図９を参照して、本発明をパチンコ球が滞留する滞留部としての供給路１４の球抜装置１７に適応した実施の形態ついて説明する。この球抜装置１７が前記下部球受皿７の抜取装置９と異なるところは主として設置個所であるため、前記実施の形態と同じ構成要素には同一符号を付して示している。これについて説明すると、供給路１４である屈曲誘導樋１４ｂの屈曲通路部４０の底部４１に開設された球抜孔２１を開閉するスライド板２３がガイド手段に規制されて摺動自在に設けられ、球抜孔２１の下流側に臨んでスライド板２３の裏面下方に位置して係合部材３０が支軸４３により傾動自在に設けられている。前記スライド板２３は、ほぼ供給路１４の通路幅と同じ幅員を有し、下面に係合部材３０が係止する係止部２８を設けている。そして、一端に弾性部材としての板ばね４２を配設して、スライド板２３が球抜孔２１を閉塞するように付勢している。また、前記係合部材３０は、一端に前記係止部２８に係止する係合部３６が形成され、他端に球抜孔２１から抜取られるパチンコ球の荷重を受ける感知部３７が形成されている。該係合部材３０は、常態では自重で係合部３６側に下動するように重心位置を設定している。なお、前記供給路１４の通路幅は限定されるものではなく、パチンコ球ほぼ１個分の通路幅（１２ｍｍ）であってもパチンコ球が復列または半復列で流下し得る幅広の通路幅（例えば１８ｍｍ〜２４ｍｍ）としてもよい。
【００４３】
そして、前記供給路１４のパチンコ球の抜取りを行うには、パチンコ遊技機の前面側若しくは裏面側から、スライド板２３を直接または間接的に操作して、球抜孔２１を開放すると屈曲通路部４０の球抜孔２１からパチンコ球が抜かれることにより、該パチンコ球の荷重が荷重感知部材３０の感知部３７に掛かることになり、図９（ｂ）に示すように荷重感知部材３０が球荷重の負荷方向（図上反時計回り）に傾動して係合部３６がスライド板２３の係止部２８に係合する。そして、球抜孔２１からパチンコ球が排出され荷重感知部材３０に球荷重が掛かっている間は、球抜孔２１を開放状態に一時的に保持し、貯留タンク１２及び供給路１４のパチンコ球が球抜通路８に球抜きされる。荷重感知部材３０が球荷重の負荷から解放されると荷重感知部材３０が復動し、係合部３６と係止部２８の係合が解除されて板ばね４２の付勢力によりスライド板２３が閉状態に復動する。また、供給路１４内にパチンコ球が残らないようにするために、球抜装置１７を直線通路部の側壁に設けるようにしてもよい。さらに、本発明の抜取装置を払出装置１３の供給通路に設けてもよく、球払出装置１３の最先のパチンコ球から球抜されるようにすることで、パチンコ遊技機にパチンコ球を残すことなく完全な抜取りが可能となる。また、スライド板２３は揺動することがないので安定した抜取りができる。
【００４４】
実施の形態において、スライド板２３を手動的に操作して移動させることにより球抜孔２１を開放するようにしたが、図１０に示すように球抜孔２１を開放する際にソレノイド２７等の電気的駆動源を使用するようにしてもよい。例えば、前面枠２の前面から操作開口２２に針金等を挿通し、該針金により押圧され前記ソレノイド２７を励磁するスイッチを設け、球抜き時に該スイッチを操作すると、図１０（ｂ）に示すようにソレノイド２７が励磁してリンク部材４４を介してスライド板２３を移動させ、球抜孔２１を開放する。以後は、前記実施の形態と同様に球抜孔２１から抜取られるパチンコ球の荷重が荷重感知部材３０に掛かると、該荷重感知部材３０が傾動して係止部２８に係合してスライド板２３を開状態に保持する。このとき前記ソレノイド２７は、スライド板２３を移動させた後すぐに消磁するが、荷重感知部材３０の係合によりスライド板２３は開状態に保持する。そして、遊技媒体が球抜孔２１から抜取られて荷重感知部材３０がパチンコ球の荷重から解放されると復動し、スライド板２３の係合を解除して、該スライド板２３はソレノイド２７のプランジャ４５に巻装された弾性部材としてのスプリング４６の付勢により図１０（ａ）に示す前記球抜孔２１を閉状態に復動する。なお、前記スライド板２３をソレノイド２７で直接牽引してもよいが、リンク部材４４等を介することによりスライド板２３の移動距離を増やしたり、移動方向を変えたりすることができる。なお、前記ソレノイド２７を励磁するスイッチの押圧により、球抜操作を行ったことを飾りランプ等で報知するようにしてもよく、球抜操作のし忘れを未然に防ぐことができる。該ランプ表示はタイマー等により所定時間後に消灯するようにすればよい。
【００４５】
このように、球抜孔２１の開放操作をソレノイド２７により行うようにすることで、前面枠２を開放することなくパチンコ遊技機の前面側から操作スイッチを１回操作するだけで、遊技媒体の抜取りが簡単にでき、しかも抜取終了後にはスライド板２３が自動復帰して球抜孔２１を閉塞しパチンコ球の供給に備えることができる。また、ソレノイド２７は通電時間が球抜孔２１を開放させる瞬時でよく、消費電力も少なく経済的で発熱の心配もない。
【００４６】
また、前記実施の形態の皿部１８の球抜き時にソレノイド２７を使用してもよいのはいうまでもなく、前記カバー部材１９に前記ソレノイド２７を励磁するスイッチを設けるようにすればよい。このとき遊技客が悪戯または誤ってスイッチを操作しても、荷重感知部材３０に球荷重が掛からない限りスライド板２３を開状態のままにすることがないので、次の遊技客に迷惑をかけることがない。また、電気的駆動源としてモータを使用してもよく、該モータにスライド板２３を閉状態から開状態に移動させる間係合するカム板を設け、該カム板を介してスライド板２３を摺動させ、球抜孔２１を開放した状態でカム板とスライド板２３との連係が外れモータを停止し、球抜孔２１の下方に臨む荷重感知部材３０に球荷重が掛かることにより、スライド部材２３に係合して開状態を保持するようにすればよい。このとき、当然復帰用のスプリング等の弾性部材が装着される。
【００４７】
なお、本発明の抜取装置は、排出口を開閉するスライド板が左右方向又は前後方向に摺動自在に設けられているもの、或いは回動軸を支点に回動自在に設けられているもののいずれにも適用可能である。
【００４８】
また、実施の形態において遊技機としてパチンコ球を遊技媒体としたパチンコ遊技機として説明したが、アレパチ，雀球遊技機であってもよく、パチンコ球を賭数として回収するパチロットであってもよい。さらに、コイン，メダルを遊技媒体として遊技するスロット遊技機としてもよい。スロット遊技機の遊技媒体抜取装置としてコイン皿に設ける際には、コイン皿の底部を筋条に形成する等してコインが滑りやすいようにして、自重で排出口から落下して排出されるようにするのがよい。
【００４９】
【発明の効果】
以上説明したように、本発明の遊技機の遊技媒体抜取装置によれば、排出口から排出されたパチンコ球等の遊技媒体の荷重が掛かることにより傾動する荷重感知部材を設け、該荷重感知部材が傾動することでスライド板に係合して排出口を開放する位置に保持すると共に、その遊技媒体の荷重から解放されると荷重感知部材が復動してスライド板が排出口を閉じる位置に自動復帰するようにしたものであるから、貯留皿等に滞留する遊技媒体の抜取り操作を至極容易にかつ確実に行うことができると共に、排出口を抜取り状態のままで放置されるようなことがなくなり、従来のように他の遊技者に迷惑を及ぼしたり店員の手を煩わせるような事態を完全に解消することができる。
【００５０】
また、前記荷重感知部材を前記スライド板の下面との隙間が遊技媒体の直径より狭くなるように設定したので、荷重感知部材上の遊技媒体をスライド板の復動時に押し出すことができ、貯留皿に遊技媒体を残すことなく抜取ることができる。
【図面の簡単な説明】
【図１】パチンコ遊技機の正面図である。
【図２】パチンコ遊技機の裏面図である。
【図３】下部球受皿の斜視図である。
【図４】下部球受皿の分解斜視図である。
【図５】球抜孔を閉塞した状態の下部球受皿の平面図である。
【図６】球抜孔を全開した状態の下部球受皿の平面図である。
【図７】（ａ）〜（ｃ）は、球抜きの作用説明図である。
【図８】他の実施の形態の球抜きの作用説明図である。
【図９】（ａ），（ｂ）は、供給路に設けた抜取装置部分の作用説明図である。
【図１０】（ａ），（ｂ）は、他の実施の形態の球抜きの作用説明図である。
【符号の説明】
６                上部球受皿（貯留皿）
７                下部球受皿（貯留皿）
９                抜取装置
１２              貯留タンク（タンク）
１３              払出装置
１４              供給路（滞留部）
１７              球抜装置（抜取装置）
１８              皿部（滞留部）
２０              底壁
２１              球抜孔（排出口）
２３              スライド板
２５              スプリング（弾性部材）
２８              係止部
３０              荷重感知部材
３６              係合部
３７              感知部
４０              浅窪部
４６              スプリング（弾性部材）
【図１】
2004173711.tif 000003
【図２】
2004173711.tif 000004
【図３】
2004173711.tif 000005
【図４】
2004173711.tif 000006
【図５】
2004173711.tif 000007
【図６】
2004173711.tif 000008
【図７】
2004173711.tif 000009
【図８】
2004173711.tif 000010
【図９】
2004173711.tif 000011
【図１０】
2004173711.tif 000012